(57)【要約】【課題】建物外壁のスペースが、従来の雨戸を設置するのに不十分であっても適用することができ、美観に優れた雨戸を提供することを目的とする。【解決手段】外壁Gにおける窓Wの左右両側に長さ方向が上下方向となるように設けられる左右一対のスライドレール２ａ、２ｂと、前記窓Ｗを覆う複数の矩形の板体３１ａ〜ｄ、及び該板体３１ａ〜ｄを内外側に交互に折り曲げ自在となるように、回動可能に連結してなる連結部３３を備え、更にその上端が窓の上方位置で固定されてなる折れ戸３と、前記一対のスライドレール２ａ、２ｂにスライド自在であって、且つ、前記折れ戸３を折り曲げたときに内側に位置する連結部３３を回動可能に支持するスライド部材５と、前記スライド部材５を上下にスライドさせることで、前記折れ戸３を窓の上端側で折り畳んで窓を開放又は閉鎖する巻き上げ装置７と、を具備する。【選択図】図１
2008266934.tif 000002
【特許請求の範囲】
【請求項１】
建物の外壁における窓の左右両側に長さ方向が上下方向となるように設けられる左右一対のスライドレールと、
前記窓を覆う複数の矩形の板体、及び該板体を内外側に交互に折り曲げ自在となるように、回動可能に連結してなる連結部を備え、更にその上端が窓の上方位置で固定されてなる折れ戸と、
前記一対のスライドレールの長さ方向に沿ってスライド自在にそれぞれ係着され、且つ、前記折れ戸を折り曲げたときに内側に位置する連結部を回動可能に支持するスライド部材と、
前記スライド部材を上下にスライドさせることで、前記折れ戸を窓の上端側で折り畳んで窓を開放するか又は平面にして窓を閉鎖する開閉手段と、を具備することを特徴とする折り畳み式雨戸。
【請求項２】
前記開閉手段は、一対のスライドレールの少なくとも一方に取付けられたスライド部材のうち最も下方に位置するスライド部材に一端が固定された可撓性紐材と、
前記可撓性紐材の他端が固定されかつ前記可撓性紐材を巻き取り及び引き出し可能な巻き上げ装置と、を具備することを特徴とする請求項１に記載の折り畳み式雨戸。
【請求項３】
前記開閉手段は、一対のスライドレールの少なくとも一方に取付けられた前記スライド部材のうち最も下方に位置するスライド部材に一端が固定された可撓性紐材と、
前記可撓性紐材を上方に付勢する付勢手段と、
前記スライド部材を前記スライドレールの下端に係止する係止手段と、を具備することを特徴とする請求項１に記載の折り畳み式雨戸。
【請求項４】
前記スライドレールの長さ方向の中間に所定間隔を開けて複数設けられる被係止部材と、
前記スライド部材に固定され前記被係止部材に着脱可能な係止部材と、を具備することを特徴とする請求項３に記載の折り畳み式雨戸。
【請求項５】
前記折れ戸を構成する板体は、光透過性を有する合成樹脂で構成されていることを特徴とする請求項１から請求項４のいずれかに記載の折り畳み式雨戸。
【請求項６】
前記合成樹脂は、ポリカーボネートであることを特徴とする請求項５に記載の折り畳み式雨戸。
【請求項７】
前記折れ戸は、紫外線を反射する紫外線反射層が設けられていることを特徴とする請求項５又は請求項６に記載の折り畳み式雨戸。
【請求項８】
前記開閉手段によって前記折れ戸が窓の上端側で折り畳んだ状態でその内部へ収納可能である、外壁の窓の上側から建物の外側へ突出するように設けられたひさし部を具備することを特徴とする請求項１から請求項７に記載の折り畳み式雨戸。
【発明の詳細な説明】
【技術分野】
【０００１】
本発明は、建物の窓等の開口部を保護する雨戸に関し、特に、上下に開閉可能な雨戸に関する。
【背景技術】
【０００２】
建物に設けられた窓等の開口部（以下、単に窓という）は、台風などの強風のときには、飛来物により傷が付いたり、割れてしまうことがある。そこで、風雨が激しい場合などに窓を保護するために、窓の外に雨戸を設けることが一般的である。以下に従来の一般的な雨戸の一例について、図１６から図１８に基いて説明する。
【０００３】
従来の雨戸１０１は、数枚の矩形平板状の雨戸板１０２、該雨戸板１０２を重ねて収納できる戸袋１０３、及び雨戸板１０２を上下で支える一対のサッシ１０４を備えている。雨戸板１０２は、建物の窓Ｗよりもやや大きく形成されており、窓Ｗに覆いかぶさることで保護することができる。戸袋１０３は、雨戸板１０２を収納できるように、数枚の雨戸板１０２を重ねたものよりも若干厚い扁平な箱状であって、左右のいずれか一方が開口しており、この開口１０５に雨戸板１０２を差し込むことができる。そして、一対のサッシ１０４は雨戸板１０２がスライド可能な溝１０６が設けられた断面コの字形状の細長い棒状に形成されている。
【０００４】
以上のように構成される従来の雨戸１０１を建物に取付ける際には、一対のサッシ１０４を窓Ｗの上側及び下側に、溝１０６が対面するように平行に配設し、この一対のサッシ１０４の溝１０６に雨戸板１０２を挿入して、雨戸板１０２を左右にスライド自在に取付ける。そして、戸袋１０３は、建物の外壁Ｇにおける窓Ｗの左側又は右側に開口１０５が窓Ｗ側を向くように取付ける。
【０００５】
晴天の場合などで、窓Ｗを保護する必要が無いときには、図１６に示すように、雨戸板１０２を戸袋１０３に収納して、障子戸やガラス戸を外部に露出させている。そして、風雨が激しい場合などで、窓Ｗを保護する必要があるときには、図１７に示すように、雨戸板１０２を一対のサッシ１０４に沿ってスライドさせて、戸袋１０３から引き出す。そして、図１８に示すように雨戸板１０２で、窓Ｗを完全に覆い隠し、障子戸やガラス戸を保護している。このようにして、従来の雨戸１０１は、外部から飛来物が飛んできた場合でも、窓Ｗに当たらず雨戸板１０２で跳ね返すので、風雨が激しい場合に窓Ｗを保護することができる。
【０００６】
しかし、上述のような従来の雨戸１０１は、外壁Ｇに戸袋１０３を設ける必要があるため、外壁Ｇに十分なスペースがない場合には取付けることができなかった。特に近年では、窓Ｗを大きくとる傾向にあり、従来の雨戸１０１を設けることができない建物は多い。また、上述のように戸袋１０３を設ける構成は、外壁Ｇの一部に戸袋１０３が覆いかぶさることとなるので、建物の美観を損なうこととなる。
【０００７】
一方、上述のような従来の雨戸１０１の問題点を解決するために、上下方向に一対のガイドレールを延設し、一対のガイドレールの間を上下に連結されたスラット板が上下にスライドする構成のスライド式シャッタが用いられる（例えば特許文献１）。しかし、スライド式シャッタを用いても、建物の美観を損なうが多い。また、スライド式シャッタは、雨戸に比べて費用が高額となることが多い。
【０００８】
そこで、上述の問題を解消するために、透明または半透明の樹脂板を上下一対の網戸用レールの外側に着脱可能に構成したものが提案されている（例えば特許文献２）。この場合は、設置費用は高額とならないし、戸袋を設ける必要もない。
【特許文献１】特開２００５−４２３５７号公報
【特許文献１】特開２００６−２３３６３４号公報
【発明の開示】
【発明が解決しようとする課題】
【０００９】
しかし、網戸用レールは通常窓の横幅とほぼ同じ長さであるので、網戸用レールの外側に樹脂板を固定する構成とした場合には、樹脂板が窓を常に覆っている状態となるので、建物の美観が損なわれるおそれがあり、また、建物内部から外を見る際にも、目ざわりとなる。
【００１０】
本発明は、以上のような事情や問題点に鑑みてなされたものであり、建物外壁のスペースが、従来の雨戸を設置するのに不十分であっても適用することができ、美観に優れた雨戸を提供することを目的とする。
【課題を解決するための手段】
【００１１】
上記目的を達成するための請求項１の発明に係る折り畳み式雨戸は、建物の外壁における窓の左右両側に長さ方向が上下方向となるように設けられる左右一対のスライドレールと、前記窓を覆う複数の矩形の板体を内外側に交互に折り曲げ自在となるように、回動可能に連結してなる連結部と、を備えると共に、その上端が窓の上方位置で固定されてなる折れ戸と、前記一対のスライドレールの長さ方向に沿ってスライド自在にそれぞれ係着され、且つ、前記折れ戸を折り曲げたときに内側に位置する連結部を回動可能に支持するスライド部材と、前記スライド部材を上下にスライドさせることで、前記折れ戸を窓の上端側で折り畳んで窓を開放するか又は平面にして窓を閉鎖する開閉手段と、を具備することを特徴とするものである。
【００１２】
請求項２の発明に係る折り畳み式雨戸は、請求項１に記載の折り畳み式雨戸であって、前記開閉手段は、一対のスライドレールの少なくとも一方に取付けられたスライド部材のうち最も下方に位置するスライド部材に一端が固定された可撓性紐材と、前記可撓性紐材の他端が固定されかつ前記可撓性紐材を巻き取り及び引き出し可能な巻き上げ装置と、を具備すること特徴とするものである。
【００１３】
請求項３の発明に係る折り畳み式雨戸は、請求項１に記載の折り畳み式雨戸であって、前記開閉手段は、一対のスライドレールの少なくとも一方に取付けられた前記スライド部材のうち最も下方に位置するスライド部材に一端が固定された可撓性紐材と、前記可撓性紐材を上方に付勢する付勢手段と、前記スライド部材を前記スライドレールの下端に係止する係止手段と、を具備することを特徴とするものである。
【００１４】
請求項４の発明に係る折り畳み式雨戸は、請求項３に記載の折り畳み式雨戸であって、前記スライドレールの長さ方向の中間部に複数列設される被係止部材と、前記スライド部材に固定され前記被係止部材に着脱可能な係止部材と、を具備することを特徴とするものである。
【００１５】
請求項５に記載の折り畳み式雨戸は、請求項１から請求項４のいずれかに記載の折り畳み式雨戸であって、前記折れ戸を構成する板体は、光透過性を有する合成樹脂で構成されていることを特徴とするものである。
【００１６】
請求項６に記載の折り畳み式雨戸は、請求項５に記載の折り畳み式雨戸であって、前記合成樹脂は、ポリカーボネートであることを特徴とするものである。
【００１７】
請求項７に記載の折り畳み式雨戸は、請求項５または請求項６に記載の折り畳み式雨戸であって、紫外線を反射する紫外線反射層が設けられていることを特徴とするものである。
【００１８】
請求項８に記載の折り畳み式雨戸は、請求項１から請求項７のいずれかに記載の折り畳み式雨戸であって、前記開閉手段によって前記折れ戸が窓の上端側で折り畳んだ状態でその内部へ収納可能なである、外壁の窓の上側から建物の外側へ突出するように設けられたひさし部を具備することを特徴とするものである。
【発明の効果】
【００１９】
請求項１の折り畳み式雨戸において、左右一対のスライドレールは、建物の外壁における窓の右左両側に長さ方向が上下方向となるように設けられる。そして、折れ戸は、前記窓を覆う複数の矩形の板体、及び該板体を内外側に交互に折り曲げ自在となるように、回動可能に連結してなる連結部を備え、更にその上端が窓の上方位置で固定されるので、窓の上方で、各連結部を軸として折り重ねることができる。更に、一対のスライドレールの長さ方向に沿ってスライド自在にそれぞれ係着され、且つ、折れ戸を折り曲げたときに内側に位置する連結部を回動可能に支持するスライド部材と、スライド部材を上下にスライドさせることで、折れ戸を窓の上端側で折り畳んで窓を開放するか又は平面にして窓を閉鎖する開閉手段とを具備するので、折れ戸は、開閉手段によりスライド部材を上下方向にスライドさせることによって、窓を開放する状態と、窓を閉鎖する状態とをとることができる。
【００２０】
折れ戸が窓を開放する状態、すなわち窓の上方で重なり合った状態で建物の外壁に対してほぼ垂直に突出する状態（以下開状態という）のときには、所謂建物のひさしと同様の形状となる。したがって、所謂ひさしと同様の役割を果たすことができる。すなわち、夏の高い位置にある太陽の日差しが室内に差し込むことを防ぐことができ、また、強風を伴わない雨のときに、窓を開いても雨が室内に入り込むことを防ぐことができる。そして、従来から日本の建物に設けられてきたひさしと同様の形状であるので、建物の美観を損なうことがない。また、このようにひさし形状とすることで、従来の雨戸のように戸袋を設ける必要が無く、建物外壁のスペースが、従来の雨戸を設置するのに不十分なものであっても取付けることができる。なお、ここで「ひさし」とは、建物の窓の上部に張り出す片流れの小屋根のことをいう。
【００２１】
また、窓を閉鎖する状態（以下閉状態という）のときに折れ戸は、窓を覆い隠すように窓に対して平行に且つ一直線に連なるので、外部から建物の窓の全面を覆い隠すことができ、強風等により外部から飛来物が飛んできた場合でも、建物の窓に当たらず折れ戸で跳ね返すので、風雨が激しい場合に建物の窓を保護することができる。
【００２２】
以上のように、請求項１の折り畳み式雨戸は、建物外壁のスペースが、従来の雨戸を設置するのに不十分であっても適用することができ、且つ美観に優れたものとすることができる。
【００２３】
請求項２の折り畳み式雨戸は、開閉手段として、可撓性紐材及び巻き取り装置を備えるものである。可撓性紐材は、スライド部材のうち最も下方に位置するスライド部材に一端が固定されている。また、巻き取り装置は可撓性紐材を巻き取り及び引出し自在に構成されている。すなわち、巻き取り装置は可撓性紐材を巻き取ることができるとともに、巻き取った可撓性紐材を引き出すことができる。したがって、この巻き取り装置を操作して可撓性紐材を巻き取ることで、可撓性紐材の一端が固定されたスライド部材を上方にスライドさせることができ、折れ戸の下縁を上方に引き上げて開状態にすることができる。また、折れ戸が開状態のときに、巻き取り装置を操作して可撓性紐材を引き出すことで、折れ戸の下縁は自重によりスライドレールに沿って下方に移動して、閉状態で固定されることとなる。したがって、折り畳み式雨戸を開状態と閉状態とに自由に変更することができる。特に巻き上げ装置を電動のものとすると、人間の力を必要とせずに開閉自在となる。
【００２４】
請求項３の折り畳み式雨戸は、開閉手段として可撓性紐材と付勢手段と係止手段とを備える。可撓性紐材は一端が最も下方に位置するスライド部材に固定されている。付勢手段は可撓性紐材の他端を上方に付勢する。可撓性紐材を上方へ付勢すると、可撓性紐材に固定されているスライド部材は上方へスライドすることとなる。折り畳み式雨戸を構成する折れ戸はスライド部材を介して開閉自在に構成されているので、可撓性紐材を上方に付勢することでスライド部材を上方にスライドさせると、折れ戸を窓の上方に配置した開状態とすることができる。一方、開状態の折れ戸の下端を引き下げて、窓と平行に一直線となる閉状態として、係止手段により係止することで、閉状態に係止することができる。したがって、晴天の場合などで、折り畳み式雨戸を開くときには、係止手段で係止しないことで、付勢手段により折れ戸が窓の上方の建物の外壁から突出した状態である開状態に固定することができる。一方、風雨が激しいときなどのように、折り畳み式雨戸を閉めるときには、折れ戸の下端を引き下ろして、折れ戸を閉状態にして係止手段で折れ戸を係止することで、閉状態に固定することができる。
【００２５】
したがって、請求項３の折り畳み式雨戸によると、折れ戸を閉状態から開状態に移行するとき、係止手段を外すだけで他に何の力も必要とせずに板体を引き上げることができる。一般に、下方から上方に引き上げるときには、上方から下方に引き下ろすときよりも多くの力を必要とするので、このように構成することで、容易に開状態にすることができる。なお、付勢手段の力を調節することで、上方から下方に引き下ろすときにより小さな力で引き下ろすことができるようにすることもできる。
【００２６】
請求項４に記載の折り畳み式雨戸によると、スライドレールの長さ方向の中間に複数の被係止部材が列設され、この被係止部材に着脱自在な係止部材がスライド部材に固定されているので、被係止部材に係止部材を係着することで、スライド部材を固定できるとともに、被係止部材から係止部材を外すことで、スライド部材をスライド自在にすることができる。そして、被係止部材は、スライドレールの中間に複数列設されているので、スライド部材の係止部材を任意の被係止部材に固定することにより、折れ戸を開状態と閉状態との間の中間の状態で維持することができる。このような状態に維持することにより、無風や弱風の雨天時に雨が室内に入るのを防ぎつつ、室内の換気を行うことができる。
【００２７】
請求項５の折り畳み式雨戸によると、折れ戸が光透過性の高い合成樹脂で構成されているので、風雨の場合などに、折り畳み式雨戸を閉状態に維持するときでも、建物外の光を室内に取り込むことができる。また、合成樹脂で構成されているので、極めて軽く、且つ安価なものとすることができる。
【００２８】
請求項６の発明の折り畳み式雨戸によると、折れ戸がポリカーボネートで構成されており、ポリカーボネートは耐衝撃性に優れているので、外部から飛来物が飛んできた場合に、破損することが少なく、窓を安全に守ることができる。また、ポリカーボネートは寸法安定性も優れており、熱による変形も起こりにくく、長期の使用にも耐えることができる。
【００２９】
請求項７の発明の折り畳み式雨戸によると、折れ戸は光透過性の高いプラスチック製であって、且つ、紫外線を反射するので、可視光及び赤外線は室内に入射し部屋を明るく、また、室温を高く保つことができるとともに、紫外線を部屋に入射させないことで、室内にいる人に害を及ぼさないとともに、畳、じゅうたん、家具などの変色を防ぐことができる。
【００３０】
請求項８の発明に係る折り畳み式雨戸によると、前記開閉手段によって前記折れ戸が窓の上端側で折り畳んだ状態でその内部へ収納可能であるなひさし部を具備するので、折れ戸が開状態となるときに、ひさし部内部に折れ戸を収納することができる。したがって、開状態に維持されるときに、折り畳み式雨戸のひさし部以外の部分が汚れたり、破損したりすることを防ぐことができる。
【００３１】
また、折れ戸が閉状態のときにも、ひさし部が外壁の窓の上側から建物の外側へ突出するように設けられているので、直接折れ戸に雨が当たることを減らすことができ、折れ戸が汚れることを防ぐこともできる。
【発明を実施するための最良の形態】
【００３２】
〔第１実施形態〕
以下に、本発明の折り畳み式雨戸１の一例としての第１実施形態について、図１から図９を参照しつつ説明する。
【００３３】
折り畳み式雨戸１は、図１に示すように、スライドレール２ａ、２ｂと、折れ戸３と、支持部材４と、スライド部材５と、可撓性紐材６と、巻き上げ装置７とを備える。スライドレール２ａ、２ｂは建物の窓Ｗの左右両縁に近接して外壁Ｇに例えばビスなどにより固着される部材であって、建物の外部から見て右側のスライドレール２ａと左側のスライドレール２ｂとがある。スライドレール２ａ、２ｂは、窓Ｗの上下幅よりも長い中空の四角柱に形成され、外壁Ｇに取付けたときに、外側となる面にはスリット状のスライド溝２１が設けられており、このスライド溝２１はスライドレール２ａ、２ｂの内部空間まで貫通している。
【００３４】
折れ戸３は、４枚の板体３１ａから３１ｄ、８つのフレーム３２ａから３２ｈ、及び、８つの連結部３３により構成される。折れ戸３は各板体３１ａから３１ｄの左右側縁にそれぞれフレーム３２ａから３２ｈが固定され、この各フレーム３２ａから３２ｈの上下の端部をそれぞれ連結部３３により回動自在に連結している。
【００３５】
板体３１ａから３１ｄは、窓Ｗの幅よりもやや長い略長方形状の平板であって、透明なポリカーボネートの板の建物外側の面に紫外線反射シートを貼着したものである。フレーム３２ａから３２ｈは、上下方向の断面形状が板体３１ａから３１ｄとほぼ同じ形状の上下に細長い形状である。このフレーム３２ａから３２ｈを板体３１ａから３１ｄの左右の縁に固着することで、板体３１ａから３１ｄを補強し、スライドレール２ａ、２ｂに連結部３３を介して、取付けることができる。
【００３６】
図２及び図３に示すように、フレーム３２ａから３２ｈの一方の端部には、左右方向から連結部３３を挿入可能な貫通孔３２１が設けられた円筒形状の凹形回動部３２２が設けられており、この凹形回動部３２２は中央に窪んだ凹部３２３を有する。そして、フレーム３２ａから３２ｈの他方の端部には、左右方向から連結部３３を挿入可能な貫通孔３２４が設けられた凸形回動部３２５が設けられており、この凸形回動部３２５は凹形回動部３２２の中央の凹部３２３に嵌入可能に形成されている。連結部３３は、連結ボルト３３１と連結ナット３３２とからなり、各フレーム３２ａから３２ｈの凹形回動部３２２の凹部３２３に凸形回動部３２５を嵌入した状態で貫通孔３２１及び貫通孔３２４に連結ボルト３３１を挿通して、連結ボルト３３１を連結ナット３３２で固定することで、各フレーム３２ａから３２ｈを相互に回動自在に連結する。
【００３７】
なお、本実施形態においては、板体３１ａから３１ｄにフレーム３２ａから３２ｈが、固着されている構成としたが、例えば、所定の接着剤で接着されているものや嵌着されているものでも良く、また、板体３１ａから３１ｄとフレーム３２ａから３２ｈとがポリカーボネートで一体成形されているものであっても良い。また、本実施形態においては、板体３１ａから３１ｄはポリカーボネートで構成されているが、他の材質であっても良く、例えばＰＭＭＡ等のアクリル系の樹脂を用いるとより安価なものとすることもできる。
【００３８】
このように折れ戸３は、各板体３１ａから３１ｄを上から順に並べて、各板体３１ａから３１ｄの建物の外側から見て右側縁に上から順に固定されるフレーム３２ａから３２ｄ及び左側縁に上から順に固定されるフレーム３２ｅから３２ｈを連結部３３で回動自在に連結しているので、図４（ａ）に示すように、連結された各板体３１ａから３１ｄが相互に１８０度の角度を保って一直線の断面形状となる閉状態と、図４（ｃ）に示すように各板体３１ａから３１ｄが折れ重なった状態となる開状態と、をとることができる。
【００３９】
なお、折れ戸３を構成する板体３１ａから３１ｄ及びフレーム３２ａから３２ｈは、図２から図４に示すように、上縁及び下縁の建物外側面又は建物内側面が切り欠かれて段部３４が設けられている。この段部３４は、板体３１ａから３１ｄ及び各フレーム３２ａから３２ｈがそれぞれ一直線となるように連結部分を伸ばしたときに、それぞれの当接する上下端の形状が整合するように構成されている。すなわち、板体３１ａから３１ｄ及びフレーム３２ａから３２ｈの上端に形成された略直角の切欠き状の段部３４が直上の板体３１ａから３１ｄ及びフレーム３２ａから３２ｈの下端に隙間無く当接する形状である。このように構成することで、連結部分が直線となるように伸ばしたときに、連結部分に間隙が生じなくなる。なお、板体３１ａから３１ｄの四方の角は、回動させたときに支持部材４やスライド部材５に引っ掛からないように、やや凹んで形成されている。
【００４０】
支持部材４は、図２に示すように、一対のスライドレール２ａ、２ｂのそれぞれの上端部に固着されている。支持部材４の両側部４１は建物外側に向けて突出した形状であり、この両側部４１にはそれぞれ、左右方向から支持軸４２を挿入する軸穴４３が設けられている。そして、支持部材４の両側部４１の間は最上部のフレームであるフレーム３２ａ及びフレーム３２ｅの上端に形成された凹形回動部３２２を挿入可能となっている。そして、支持部材４がフレーム３２ａ又は３２ｅを支持するときには、スライドレール２ａ、２ｂの上端部に固着されている支持部材４の両側部４１の間にフレーム３２ａ、３２ｅの凹形回動部３２２を挿入し、凹形回動部３２２の貫通孔３２１の位置と支持部材４の両側部４１の軸穴４３の位置とを整合させて、貫通孔３２１及び軸穴４３に支持軸４２を挿入する。支持軸４２は、ボルト４２ａとナット４２ｂとからなり、ボルト４２ａを軸穴４３及び貫通孔３２１に挿入して支持ナット４２ｂで締め付けることで、フレーム３２ａ、３２ｅを支持部材４に回動自在に軸着させる。
【００４１】
スライド部材５は、図３から図５に示すように、スライドレール２ａ、２ｂの内部空間に配置される４個のローラ５１と、スライド溝２１から内部に挿入されてローラ５１が回転自在に挿通される支持具５２と、スライド溝２１の外側に配置され支持具５２に固定される基部５３と、基部５３の左右の側部から建物の外側方向に突出する一対の側部５５と、からなり、一対の側部５５には連結部３３を挿入可能な挿入孔５４が貫通している。そして、両側部５５の間はフレーム３２ａから３２ｈの凹形回動部３２２を挿入可能となっている。そして、このスライド部材５はローラ５１の回転により、一対のスライドレール２ａ、２ｂを上下にスライド可能である。また、フレーム３２ａから３２ｈの凹形回動部３２２の凹部３２３に直上のフレーム３２ａから３２ｈの凸形回動部３２５を挿入し、凹形回動部３２２と凸形回動部３２５とを更に、スライド部材５の両側部５５の間に挿入して、凹形回動部３２２の貫通孔３２１、凸形回動部３２５の貫通孔３２４、及びスライド部材５の挿入孔５４に連結部３３の連結ボルト３３１を挿入して、連結ナット３３２を螺着することで、フレーム３２ａから３２ｈはスライド部材５に回動自在に軸支される。なお、本実施形態においては、スライド部材５は、右側スライドレール２ａ及び左側スライドレール２ｂにそれぞれ２個挿入されているが、これに限定されるものではなく、左右一対のスライドレール２ａ、２ｂにそれぞれ１又は複数挿入されていればよい。スライド部材５の個数は折れ戸３を構成する板体３１ａから３１ｄの枚数の半分づつ、それぞれのスライドレール２ａ、２ｂに挿入されている。
【００４２】
以上のように、本実施形態の折り畳み式雨戸１は、スライドレール２ａ、２ｂ、板体３１ａから３１ｄとフレーム３２ａから３２ｈと連結部３３とからなる折れ戸３、支持部材４、及びスライド部材５が、上述のように構成されることで、最上部の板体３１ａの左右側縁に固着されるフレーム３２ａ及び３２ｅの上端は、一対のスライドレール２の上端に固着された支持部材４に回動自在に固定され、上から２番目の板体３１ｂの左右側縁にそれぞれ固着されるフレーム３２ｂ及び３２ｆの上端は、それぞれ直上のフレーム３２ａ及び３２ｅの下端に回動可能に連結される。そして、フレーム３２ｂ及びフレーム３２ｆの下端と、上から３番目の板体３１ｃの左右側縁に貼り付けられるフレーム３２ｃ及び３２ｇと、は、スライドレール２ａ、２ｂにスライド可能なスライド部材５のうち上側のスライド部材５に回動可能に支持される。さらに、最下部の板体３１ｄの左右側縁に貼り付けられたフレーム３２ｄ及び３２ｈの上端は、直上のフレーム３２ｃ及び３２ｇの下端に回動可能に連結される。そして、フレーム３２ｄ及び３２ｈの下端は、下側のスライド部材５に回動可能に取付けられている。これにより、各板体３１ａから３１ｄは、図６に示すように、建物の窓Ｗに平行に一列に連結されて建物の窓Ｗを覆う状態から、図７に示すように各板体３１ａから３１ｄが重なり合って建物の窓Ｗの上部の建物外壁から突出した状態まで自在に移行することができる。
【００４３】
なお、ここで図６に示すように、折れ戸３の下端が下方に引き下げられ、折れ戸３が直線に引き伸ばされて、窓Ｗの外側を覆う状態を閉状態という。すなわち、折れ戸３の最下部に位置する板体３１ｄと、板体３１ｄの左右側縁に固着されるフレーム３２ｄ及び３２ｈと、の下端が最も下に引き下げられた状態を閉状態という。また、図７に示すように、
折れ戸の下端が引き上げられ、折れ戸を構成する各板体３１ａから３１ｄが重なり合って窓Ｗの上側に配置される状態を開状態という。このように、折り畳み式雨戸１は閉状態のときには窓Ｗの外側を覆い、風雨や外部からの飛来物に対して窓Ｗを防護する役割を果たすことができ、開状態のときには窓Ｗの上側で外壁Ｇから突出した形状となるので、ひさしの役割を果たし、強い日差しの入射を防ぐことができるとともに、弱い雨のときには室内に雨が入り込むことを防ぐことができる。
【００４４】
右側スライドレール２ａにスライド可能なスライド部材５のうち下側のスライド部材５には、可撓性紐材６の一端が締着されている。可撓性紐材６は例えばワイヤーロープで形成されており巻き上げ装置７により上方へ巻き上げ及び下方に引出し可能である。図８に示すように、巻き上げ装置７は滑車７１と軸部材７２とモーター装置７３とからなる。滑車７１は右側スライドレール２ａの直上の外壁Ｇに固着されており、可撓性紐材６の他端が固着されている。軸部材７２は、滑車７１の回転軸方向に延設される断面円形の棒状部材である。そして、モーター装置７３は、図示しない電源から電力供給を受けて軸部材７２を正回転及び逆回転させることができるモーターであり、例えば建物内からリモートコントローラにより操作可能なものである。なお、モーター装置７３は電力を供給した場合には正回転及び逆回転させることができるが、電源をＯＦＦにしたときには回転されない。
【００４５】
このモータ装置７３を左方向から見て反時計回りに回転させると、回転トルクが軸部材７２に伝達され、滑車７１を左方向から見て反時計回りに回転させることとなる。そして、滑車７１が回転すると、可撓性紐材６が巻き上げられるとともに、可撓性紐材６の一端が結び付けられている下側のスライド部材５が上方にスライドする。これにより、スライド部材５に回動自在に支持されているフレーム３２ｄ、３２ｈ及び最下部の板体３１ｄが上方に移動し、図４の（ｃ）及び図７に示すように、折り畳み式雨戸１は開状態となる。一方、開状態のときに、モーター装置７３を左方向から見て時計回りに回転させると、この回転トルクが軸部材７２に伝わり、滑車７１が左方向から見て時計回りに回転することとなる。したがって、滑車７１に巻き取られていた可撓性紐材６が下方に引き出されることとなり、可撓性紐材６の端部が結び付けられているスライド部材７が自重と、スライド部材５に回動自在に固定されているフレーム３２ａからｈ及び板体３１ａから３１ｄの重みと、により下方にスライドする。そして、図４の（ａ）及び図６に示すように、折り畳み式雨戸１は開状態となる。
【００４６】
なお、本実施形態においては巻き上げ装置７が電動のモーター装置７３を備える構成としたが、手動の回転装置を備えるものであってもよい。手動の回転装置は、滑車７１に回転トルクを伝達できる構成を有していれば良く、例えば、操作者の操作により回転するハンドルと、ハンドルの回転トルクを滑車７１に伝達するトルク伝達ベルトと、を備えていればよい。なお、手動の回動装置を用いる構成とするときには、操作ハンドルは操作者が容易に操作できる位置にあることが好ましいので、操作者の手の高さに設置されたハンドルと、スライドレール２ａの直上に取付けられた滑車７１と、をトルク伝達ベルトにより連動させるものであることが好ましい。
【００４７】
また、板体３１ａから３１ｄには、透明な紫外線反射フィルムが貼り付けられており、図９に示すように、各板体３１ａから３１ｄの断面はポリカーボネート層３２に紫外線反射層３３が重なり合っている。したがって、各板体３１ａから３１ｄが窓Ｗを覆う状態のとき、可視光ＶＬ及び赤外線ＩＲは板体３１ａから３１ｄを透過して室内に入射するが、紫外線ＵＶは反射するので室内に入射しない。紫外線は、人体に悪影響が起こり易く、また、畳や家具などを変色させやすいので、紫外線ＵＶを室内に入射させないことで、このような被害を防ぎつつ、可視光ＶＬ及び赤外線ＩＲは取り入れることができる。
【００４８】
〔第２実施形態〕
次に、本発明の折り畳み式雨戸１の他の一例としての第２実施形態について、図１０から図１４を参照しつつ説明する。なお、第１の実施形態と同様の構成については同一の符号を付し説明を省略する。
【００４９】
第２の実施形態に係る折り畳み式雨戸１は、図１０に示すように、右側スライドレール２ａの上方に付勢手段８を有し、右側スライドレール２ａの下部には係止手段９が形成されている。また、右側スライドレール２ａの上下方向の中間には一定の間隔を開けて被係止部材１０が列設されている。また、スライド部材５には、スライドレール２ａ側に付勢された図示しないバネを内包した係止部材９１が建物の外壁に対して垂直方向にスライド可能に固着されている。なお、係止部材９１は、例えば建物外壁と平行にスライド可能なものであってもよい。
【００５０】
付勢手段８は図１１に示すように、カバー８１とぜんまい式バネ８２と固定芯８３とからなり、ぜんまい式バネ８２の一端が固定芯８３に固定されるとともに、ぜんまい式バネ８２の他端が可撓性紐材６の一端に固着されている。そして、可撓性紐材６の他端は最下部の板体３１ｄの下縁を回動可能に支持するスライド部材５に結びつけられている。ぜんまい式バネ８２は外力が働いていない状態のときには、その外周がカバー８１付近まで広がる様に構成されており、可撓性紐材６が固着されているぜんまい式バネ８２の他端が下方に引っ張られると、ぜんまい式バネ８２の外周が縮まって、上方への張力が発生するので、可撓性紐材６は上方に付勢される。そして、可撓性紐材６が上方に付勢されることで、可撓性紐材６に結び付けられたスライド部材５が常に上方に向けて付勢されるので、板体３ａから３ｄが建物の窓Ｗの上方に重なった開状態が維持されることとなる。
【００５１】
そして、図１２に示すように、最下部の板体３ｄを引き下げて、係止手段９によって最下部の板体３１ｄを回動可能に支持する下側のスライド部材５を固定することで、各板体３１ａから３１ｄを窓Ｗに対して平行に一直線に連ならせて窓Ｗを覆う閉状態を維持できる。なお、この係止手段９はスライドレール２ａの下部に固定された立方体形状の突出部であり、この係止手段９にスライド部材５の係止部材９１を引掛けることで、スライド部材５を下方に固定する。このように構成すると、折り畳み式雨戸１を開けるときには、係止手段９をスライド部材５から離脱させることによって、他に何の作業もすることなく折れ戸３を開状態とすることができ、折り畳み式雨戸１を開けることができる。また、折り畳み式雨戸１を閉めるときには、折れ戸３の下端を下方に引き下げて、係止手段９によりスライド部材５を係止することによって、折れ戸３を閉状態とすることができ、折り畳み式雨戸１を閉めることができる。
【００５２】
また、右側スライドレール２ａの上下方向の中間に複数列設される被係止部材１０は、図１３に示すように、建物外側方向に突出した立方体形状であり、係止手段９と同様に、最下部の板体３１ｄの下縁に固着されたスライド部材５の係止部材９１を引掛けて固定することができる。そして、この被係止部材１０は複数列設されているので、スライド部材５は任意の位置で固定することができる。このように任意の位置でスライド部材５を固定することで、例えば、雨天の場合などにも、折れ戸３を閉状態とするのではなく、所望の位置まで上げることができるので、雨を室内に入れることなく換気することができる。
【００５３】
なお、本発明は上述の実施形態に限定されるものではなく、本発明の技術的思想を逸脱しない範囲における種々の変形例、設計変更などをその技術的範囲内に包含するものであることは云うまでもない。
【００５４】
例えば図１４及び図１５に示すように、折り畳み式雨戸１が、更に、ひさし部１１を備える構成としても良い。ひさし部１１は、窓Ｗの上方の外壁Ｇに窓Ｗよりもやや大きな幅で固着され、建物の外側方向に向かってやや下方に傾斜して突出する形状である。そして、ひさし部１１の下面は開口して、折れ戸３を収納可能な内部空間を備えており、スライドレール２ａ、２ｂの上端はひさし部１１の内部に挿入されている。このように構成されるひさし部１１を有することで、折れ戸３が開状態となったときに、各板体３１ａから３１ｄがひさし部１１の内部空間に挿入されることとなる。したがって、外部から見ると各板体３１ａから３１ｄが見えないので、建物の美観を損なうことがない。また、折れ戸３を閉状態としたときにも、風雨の一部がひさし部１１に遮られるので、板体３１ａから３１ｄの汚れや傷みを防ぐことができる。また、ひさし部１１は従来のひさしと同様に夏の日差しを遮り、室内の温度が高くなることを防ぐこともできる。
【産業上の利用可能性】
【００５５】
以上のように、本発明に係る折り畳み式雨戸は、例えば、外壁に十分なスペースがない建物の窓を保護する雨戸として適用することができる。
【図面の簡単な説明】
【００５６】
【図１】本発明の折り畳み式雨戸１の第１の実施形態を示す斜視図である。
【図２】支持部材４の構成を示す拡大分解図である。
【図３】板体３１ｂから３１ｄ、フレーム３２ｂから３２ｄ、及びスライド部材５の構成を示す分解図である。
【図４】（ａ）は、折れ戸３が閉状態のときの折り畳み式雨戸１の断面図であり、（ｂ）は、折れ戸３が閉状態から開状態に移行する途中の折り畳み式雨戸１の断面図であり、（ｃ）は、折れ戸３が開状態のときの折り畳み式雨戸１の断面図である。
【図５】（ａ）はスライドレール２ａの外観構成を示す斜視図であり、（ｂ）は（ａ）のＡ−Ａ断面図である。
【図６】折れ戸３が閉状態のときの折り畳み式雨戸１を示す斜視図である。
【図７】折れ戸３が開状態のときの折り畳み式雨戸１を示す斜視図である。
【図８】（ａ）は折り畳み式雨戸１の外観斜視図であり、（ｂ）は巻き上げ装置７を説明する（ａ）のＢ部分の拡大図である。
【図９】板体３ａの断面を示す図である。
【図１０】本発明の折り畳み式雨戸１の第２の実施形態を示す斜視図である。
【図１１】（ａ）は付勢手段８が下方に引き伸ばされたときの内部構成を示す図であり、（ｂ）は付勢手段８が上方に巻き取られたときの内部構成を示す図である。
【図１２】（ａ）は第２の実施形態の折り畳み式雨戸１斜視図であり、（ｂ）は（ａ）のＤ部分の拡大図である。
【図１３】図１０のＣ部分を拡大した被係止部材１３の構成を示す図である。
【図１４】ひさし部１４を取付けた折り畳み式雨戸１の閉状態を示す斜視図である。
【図１５】ひさし部１４を取付けた折り畳み式雨戸１の開状態を示す斜視図である。
【図１６】従来の雨戸１０１が開いた状態を示す図である。
【図１７】従来の雨戸１０１が閉じる途中を示す図である。
【図１８】従来の雨戸１０１が閉じた状態を示す図である。
【符号の説明】
【００５７】
１    折り畳み式雨戸
２ａ、２ｂ  スライドレール
３    折れ戸
４    支持部材
５    スライド部材
６    可撓性紐材
７    巻き上げ装置
８    付勢手段
９    係止手段
１０  被係止部材
１１  ひさし部
３１ａ〜３１ｄ  板体
３２ａ〜３２ｈ  フレーム
３３  連結部
９１  係止部材
３１１  紫外線反射層
【図１】
2008266934.tif 000003
【図２】
2008266934.tif 000004
【図３】
2008266934.tif 000005
【図４】
2008266934.tif 000006
【図５】
2008266934.tif 000007
【図６】
2008266934.tif 000008
【図７】
2008266934.tif 000009
【図８】
2008266934.tif 000010
【図９】
2008266934.tif 000011
【図１０】
2008266934.tif 000012
【図１１】
2008266934.tif 000013
【図１２】
2008266934.tif 000014
【図１３】
2008266934.tif 000015
【図１４】
2008266934.tif 000016
【図１５】
2008266934.tif 000017
【図１６】
2008266934.tif 000018
【図１７】
2008266934.tif 000019
【図１８】
2008266934.tif 000020
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
建物の外壁における窓の左右両側に長さ方向が上下方向となるように設けられる左右一対のスライドレールと、
前記窓を覆う複数の矩形の板体、及び該板体を内外側に交互に折り曲げ自在となるように、回動可能に連結してなる連結部を備え、更にその上端が窓の上方位置で固定されてなる折れ戸と、
前記一対のスライドレールの長さ方向に沿ってスライド自在にそれぞれ係着され、且つ、前記折れ戸を折り曲げたときに内側に位置する連結部を回動可能に支持するスライド部材と、
前記スライド部材を上下にスライドさせることで、前記折れ戸を窓の上端側で折り畳んで窓を開放するか又は平面にして窓を閉鎖する開閉手段と、を具備し、
前記折れ戸を構成する前記板体は、その上縁及び下縁の建物内側面又は建物外側面に略直角に切り欠かれた段部を有し、
前記折れ戸を平面にして窓を閉鎖したときに、前記板体の上縁と当該板体の直上の板体の下縁とに形成された段部が互いに隙間無く当接する形状であることを特徴とする折り畳み式雨戸。
【請求項２】
前記段部は、前記建物外側面及び前記建物内側面のうち、前記折れ戸を折り曲げたときに下側となる面が切り欠かれて形成されることを特徴とする請求項１に記載の折り畳み式雨戸。
【請求項３】
前記開閉手段は、一対のスライドレールの少なくとも一方に取付けられたスライド部材のうち最も下方に位置するスライド部材に一端が固定された可撓性紐材と、
前記可撓性紐材の他端が固定されかつ前記可撓性紐材を巻き取り及び引き出し可能な巻き上げ装置と、を具備することを特徴とする請求項１又は請求項２に記載の折り畳み式雨戸。
【請求項４】
前記開閉手段は、一対のスライドレールの少なくとも一方に取付けられた前記スライド部材のうち最も下方に位置するスライド部材に一端が固定された可撓性紐材と、
前記可撓性紐材を上方に付勢する付勢手段と、
前記スライド部材を前記スライドレールの下端に係止する係止手段と、を具備することを特徴とする請求項１又は請求項２に記載の折り畳み式雨戸。
【請求項５】
前記スライドレールの長さ方向の中間に所定間隔を開けて複数設けられる被係止部材と、
前記スライド部材に固定され前記被係止部材に着脱可能な係止部材と、を具備することを特徴とする請求項４に記載の折り畳み式雨戸。
【請求項６】
前記折れ戸を構成する板体は、光透過性を有する合成樹脂で構成されていることを特徴とする請求項１から請求項５のいずれかに記載の折り畳み式雨戸。
【請求項７】
前記合成樹脂は、ポリカーボネートであることを特徴とする請求項６に記載の折り畳み式雨戸。
【請求項８】
前記折れ戸は、紫外線を反射する紫外線反射層が設けられていることを特徴とする請求項６又は請求項７に記載の折り畳み式雨戸。
【請求項９】
前記開閉手段によって前記折れ戸が窓の上端側で折り畳んだ状態でその内部へ収納可能である、外壁の窓の上側から建物の外側方向へ下方に傾斜して突出するように設けられたひさし部を具備することを特徴とする請求項１から請求項８に記載の折り畳み式雨戸。
【手続補正２】
【補正対象書類名】明細書
【補正対象項目名】００１１
【補正方法】変更
【補正の内容】
【００１１】
上記目的を達成するための請求項１の発明に係る折り畳み式雨戸は、建物の外壁における窓の左右両側に長さ方向が上下方向となるように設けられる左右一対のスライドレールと、前記窓を覆う複数の矩形の板体、及び該板体を内外側に交互に折り曲げ自在となるように、回動可能に連結してなる連結部を備え、更にその上端が窓の上方位置で固定されてなる折れ戸と、前記一対のスライドレールの長さ方向に沿ってスライド自在にそれぞれ係着され、且つ、前記折れ戸を折り曲げたときに内側に位置する連結部を回動可能に支持するスライド部材と、前記スライド部材を上下にスライドさせることで、前記折れ戸を窓の上端側で折り畳んで窓を開放するか又は平面にして窓を閉鎖する開閉手段と、を具備し、前記折れ戸を構成する前記板体は、その上縁及び下縁の建物内側面又は建物外側面に略直角に切り欠かれた段部を有し、前記折れ戸を平面にして窓を閉鎖したときに、前記板体の上縁と当該板体の直上の板体の下縁とに形成された段部が互いに隙間無く当接する形状であることを特徴とするものである。
また、請求項２に記載の発明の係る折り畳み式雨戸は、請求項１に記載の折り畳み式雨戸であって、前記段部は、前記建物外側面及び前記建物内側面のうち、前記折れ戸を折り曲げたときに下側となる面が切り欠かれて形成されることを特徴とするものである。
【手続補正３】
【補正対象書類名】明細書
【補正対象項目名】００１２
【補正方法】変更
【補正の内容】
【００１２】
請求項３の発明に係る折り畳み式雨戸は、請求項１又は請求項２に記載の折り畳み式雨戸であって、前記開閉手段は、一対のスライドレールの少なくとも一方に取付けられたスライド部材のうち最も下方に位置するスライド部材に一端が固定された可撓性紐材と、前記可撓性紐材の他端が固定されかつ前記可撓性紐材を巻き取り及び引き出し可能な巻き上げ装置と、を具備すること特徴とするものである。
【手続補正４】
【補正対象書類名】明細書
【補正対象項目名】００１３
【補正方法】変更
【補正の内容】
【００１３】
請求項４の発明に係る折り畳み式雨戸は、請求項１又は請求項２に記載の折り畳み式雨戸であって、前記開閉手段は、一対のスライドレールの少なくとも一方に取付けられた前記スライド部材のうち最も下方に位置するスライド部材に一端が固定された可撓性紐材と、前記可撓性紐材を上方に付勢する付勢手段と、前記スライド部材を前記スライドレールの下端に係止する係止手段と、を具備することを特徴とするものである。
【手続補正５】
【補正対象書類名】明細書
【補正対象項目名】００１４
【補正方法】変更
【補正の内容】
【００１４】
請求項５の発明に係る折り畳み式雨戸は、請求項４に記載の折り畳み式雨戸であって、前記スライドレールの長さ方向の中間部に複数列設される被係止部材と、前記スライド部材に固定され前記被係止部材に着脱可能な係止部材と、を具備することを特徴とするものである。
【手続補正６】
【補正対象書類名】明細書
【補正対象項目名】００１５
【補正方法】変更
【補正の内容】
【００１５】
請求項６に記載の折り畳み式雨戸は、請求項１から請求項５のいずれかに記載の折り畳み式雨戸であって、前記折れ戸を構成する板体は、光透過性を有する合成樹脂で構成されていることを特徴とするものである。
【手続補正７】
【補正対象書類名】明細書
【補正対象項目名】００１６
【補正方法】変更
【補正の内容】
【００１６】
請求項７に記載の折り畳み式雨戸は、請求項６に記載の折り畳み式雨戸であって、前記合成樹脂は、ポリカーボネートであることを特徴とするものである。
【手続補正８】
【補正対象書類名】明細書
【補正対象項目名】００１７
【補正方法】変更
【補正の内容】
【００１７】
請求項８に記載の折り畳み式雨戸は、請求項６または請求項７に記載の折り畳み式雨戸であって、紫外線を反射する紫外線反射層が設けられていることを特徴とするものである。
【手続補正９】
【補正対象書類名】明細書
【補正対象項目名】００１８
【補正方法】変更
【補正の内容】
【００１８】
請求項９に記載の折り畳み式雨戸は、請求項１から請求項８のいずれかに記載の折り畳み式雨戸であって、前記開閉手段によって前記折れ戸が窓の上端側で折り畳んだ状態でその内部へ収納可能である、外壁の窓の上側から建物の外側方向へ下方に傾斜して突出するように設けられたひさし部を具備することを特徴とするものである。
【手続補正１０】
【補正対象書類名】明細書
【補正対象項目名】００２３
【補正方法】変更
【補正の内容】
【００２３】
請求項３の折り畳み式雨戸は、開閉手段として、可撓性紐材及び巻き取り装置を備えるものである。可撓性紐材は、スライド部材のうち最も下方に位置するスライド部材に一端が固定されている。また、巻き取り装置は可撓性紐材を巻き取り及び引出し自在に構成されている。すなわち、巻き取り装置は可撓性紐材を巻き取ることができるとともに、巻き取った可撓性紐材を引き出すことができる。したがって、この巻き取り装置を操作して可撓性紐材を巻き取ることで、可撓性紐材の一端が固定されたスライド部材を上方にスライドさせることができ、折れ戸の下縁を上方に引き上げて開状態にすることができる。また、折れ戸が開状態のときに、巻き取り装置を操作して可撓性紐材を引き出すことで、折れ戸の下縁は自重によりスライドレールに沿って下方に移動して、閉状態で固定されることとなる。したがって、折り畳み式雨戸を開状態と閉状態とに自由に変更することができる。特に巻き上げ装置を電動のものとすると、人間の力を必要とせずに開閉自在となる。
【手続補正１１】
【補正対象書類名】明細書
【補正対象項目名】００２４
【補正方法】変更
【補正の内容】
【００２４】
請求項４の折り畳み式雨戸は、開閉手段として可撓性紐材と付勢手段と係止手段とを備える。可撓性紐材は一端が最も下方に位置するスライド部材に固定されている。付勢手段は可撓性紐材の他端を上方に付勢する。可撓性紐材を上方へ付勢すると、可撓性紐材に固定されているスライド部材は上方へスライドすることとなる。折り畳み式雨戸を構成する折れ戸はスライド部材を介して開閉自在に構成されているので、可撓性紐材を上方に付勢することでスライド部材を上方にスライドさせると、折れ戸を窓の上方に配置した開状態とすることができる。一方、開状態の折れ戸の下端を引き下げて、窓と平行に一直線となる閉状態として、係止手段により係止することで、閉状態に係止することができる。したがって、晴天の場合などで、折り畳み式雨戸を開くときには、係止手段で係止しないことで、付勢手段により折れ戸が窓の上方の建物の外壁から突出した状態である開状態に固定することができる。一方、風雨が激しいときなどのように、折り畳み式雨戸を閉めるときには、折れ戸の下端を引き下ろして、折れ戸を閉状態にして係止手段で折れ戸を係止することで、閉状態に固定することができる。
【手続補正１２】
【補正対象書類名】明細書
【補正対象項目名】００２５
【補正方法】変更
【補正の内容】
【００２５】
したがって、請求項４の折り畳み式雨戸によると、折れ戸を閉状態から開状態に移行するとき、係止手段を外すだけで他に何の力も必要とせずに板体を引き上げることができる。一般に、下方から上方に引き上げるときには、上方から下方に引き下ろすときよりも多くの力を必要とするので、このように構成することで、容易に開状態にすることができる。なお、付勢手段の力を調節することで、上方から下方に引き下ろすときにより小さな力で引き下ろすことができるようにすることもできる。
【手続補正１３】
【補正対象書類名】明細書
【補正対象項目名】００２６
【補正方法】変更
【補正の内容】
【００２６】
請求項５に記載の折り畳み式雨戸によると、スライドレールの長さ方向の中間に複数の被係止部材が列設され、この被係止部材に着脱自在な係止部材がスライド部材に固定されているので、被係止部材に係止部材を係着することで、スライド部材を固定できるとともに、被係止部材から係止部材を外すことで、スライド部材をスライド自在にすることができる。そして、被係止部材は、スライドレールの中間に複数列設されているので、スライド部材の係止部材を任意の被係止部材に固定することにより、折れ戸を開状態と閉状態との間の中間の状態で維持することができる。このような状態に維持することにより、無風や弱風の雨天時に雨が室内に入るのを防ぎつつ、室内の換気を行うことができる。
【手続補正１４】
【補正対象書類名】明細書
【補正対象項目名】００２７
【補正方法】変更
【補正の内容】
【００２７】
請求項６の折り畳み式雨戸によると、折れ戸が光透過性の高い合成樹脂で構成されているので、風雨の場合などに、折り畳み式雨戸を閉状態に維持するときでも、建物外の光を室内に取り込むことができる。また、合成樹脂で構成されているので、極めて軽く、且つ安価なものとすることができる。
【手続補正１５】
【補正対象書類名】明細書
【補正対象項目名】００２８
【補正方法】変更
【補正の内容】
【００２８】
請求項７の発明の折り畳み式雨戸によると、折れ戸がポリカーボネートで構成されており、ポリカーボネートは耐衝撃性に優れているので、外部から飛来物が飛んできた場合に、破損することが少なく、窓を安全に守ることができる。また、ポリカーボネートは寸法安定性も優れており、熱による変形も起こりにくく、長期の使用にも耐えることができる。
【手続補正１６】
【補正対象書類名】明細書
【補正対象項目名】００２９
【補正方法】変更
【補正の内容】
【００２９】
請求項８の発明の折り畳み式雨戸によると、折れ戸は光透過性の高いプラスチック製であって、且つ、紫外線を反射するので、可視光及び赤外線は室内に入射し部屋を明るく、また、室温を高く保つことができるとともに、紫外線を部屋に入射させないことで、室内にいる人に害を及ぼさないとともに、畳、じゅうたん、家具などの変色を防ぐことができる。
【手続補正１７】
【補正対象書類名】明細書
【補正対象項目名】００３０
【補正方法】変更
【補正の内容】
【００３０】
請求項９の発明に係る折り畳み式雨戸によると、前記開閉手段によって前記折れ戸が窓の上端側で折り畳んだ状態でその内部へ収納可能であるなひさし部を具備するので、折れ戸が開状態となるときに、ひさし部内部に折れ戸を収納することができる。したがって、開状態に維持されるときに、折り畳み式雨戸のひさし部以外の部分が汚れたり、破損したりすることを防ぐことができる。
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
建物の外壁における窓の左右両側に長さ方向が上下方向となるように設けられ、外壁に取付けたときに外側となる面にスリット状のスライド溝を設けた中空の四角柱に形成された左右一対のスライドレールと、
前記窓を覆う光透過性を有するポリカーボネートで構成された複数の矩形の板体、及び該板体を内外側に交互に折り曲げ自在となるように、回動可能に連結してなる連結部を備え、更にその上端が窓の上方位置で固定されてなる折れ戸と、
前記一対のスライドレールの内部空間の建物外側と建物内側とにそれぞれ２個ずつ配置される４個のローラと、前記スライド溝から前記スライドレールの内部空間に挿入されて前記ローラが回転自在に軸着される支持具と、前記スライド溝の外側に配置され前記支持具の建物外側方向の端部に固定される基部とを含み、前記一対のスライドレールの長さ方向に沿ってスライド自在にそれぞれ係着され、且つ、前記折れ戸を折り曲げたときに内側に位置する前記連結部を回動可能に支持するスライド部材と、
前記スライド部材を上下にスライドさせることで、前記折れ戸を窓の上端側で折り畳んで窓を開放するか又は平面にして窓を閉鎖する開閉手段と、を具備し、
前記開閉手段は、一対のスライドレールの少なくとも一方に取付けられた前記スライド部材のうち最も下方に位置するスライド部材に一端が固定された可撓性紐材と、
前記可撓性紐材を上方に付勢する付勢手段と、
前記スライド部材を前記スライドレールの下端に係止する係止手段と、
前記スライドレールの長さ方向の中間に所定間隔を開けて複数設けられる被係止部材と、
前記スライド部材に固定され前記被係止部材に着脱可能な係止部材と、を有し、
前記折れ戸を構成する前記板体は、その上縁及び下縁の建物外側面及び建物内側面のうち、前記折れ戸を折り曲げたときに下側となる面側が略直角に切り欠かれて段部を形成し、前記折れ戸を平面にして窓を閉鎖したときに、前記板体の上縁と当該板体の直上の板体の下縁とに形成された段部が互いに隙間無く当接する形状であることを特徴とする折り畳み式雨戸。
【請求項２】
前記折れ戸は、紫外線を反射する紫外線反射層が設けられていることを特徴とする請求項１に記載の折り畳み式雨戸。
【請求項３】
前記開閉手段によって前記折れ戸が窓の上端側で折り畳んだ状態でその内部へ収納可能である、外壁の窓の上側から建物の外側方向へ下方に傾斜して突出するように設けられたひさし部を具備することを特徴とする請求項１又は請求項２に記載の折り畳み式雨戸。
【手続補正２】
【補正対象書類名】明細書
【補正対象項目名】００１１
【補正方法】変更
【補正の内容】
【００１１】
上記目的を達成するための請求項１の発明に係る折り畳み式雨戸は、建物の外壁における窓の左右両側に長さ方向が上下方向となるように設けられ、外壁に取付けたときに外側となる面にスリット状のスライド溝を設けた中空の四角柱に形成された左右一対のスライドレールと、前記窓を覆う光透過性を有するポリカーボネートで構成された複数の矩形の板体、及び該板体を内外側に交互に折り曲げ自在となるように、回動可能に連結してなる連結部を備え、更にその上端が窓の上方位置で固定されてなる折れ戸と、前記一対のスライドレールの内部空間の建物外側と建物内側とにそれぞれ２個ずつ配置される４個のローラと、前記スライド溝から前記スライドレールの内部空間に挿入されて前記ローラが回転自在に軸着される支持具と、前記スライド溝の外側に配置され前記支持具の建物外側方向の端部に固定される基部とを含み、前記一対のスライドレールの長さ方向に沿ってスライド自在にそれぞれ係着され、且つ、前記折れ戸を折り曲げたときに内側に位置する前記連結部を回動可能に支持するスライド部材と、前記スライド部材を上下にスライドさせることで、前記折れ戸を窓の上端側で折り畳んで窓を開放するか又は平面にして窓を閉鎖する開閉手段と、を具備し、前記開閉手段は、一対のスライドレールの少なくとも一方に取付けられた前記スライド部材のうち最も下方に位置するスライド部材に一端が固定された可撓性紐材と、前記可撓性紐材を上方に付勢する付勢手段と、前記スライド部材を前記スライドレールの下端に係止する係止手段と、前記スライドレールの長さ方向の中間に所定間隔を開けて複数設けられる被係止部材と、前記スライド部材に固定され前記被係止部材に着脱可能な係止部材と、を有し、前記折れ戸を構成する前記板体は、その上縁及び下縁の建物外側面及び建物内側面のうち、前記折れ戸を折り曲げたときに下側となる面側が略直角に切り欠かれて段部を形成し、前記折れ戸を平面にして窓を閉鎖したときに、前記板体の上縁と当該板体の直上の板体の下縁とに形成された段部が互いに隙間無く当接する形状であることを特徴とするものである。
【手続補正３】
【補正対象書類名】明細書
【補正対象項目名】００１２
【補正方法】変更
【補正の内容】
【００１２】
請求項２の発明に係る折り畳み式雨戸は、請求項１に記載の折り畳み式雨戸であって、紫外線を反射する紫外線反射層が設けられていることを特徴とするものである。
【手続補正４】
【補正対象書類名】明細書
【補正対象項目名】００１３
【補正方法】変更
【補正の内容】
【００１３】
請求項３の発明に係る折り畳み式雨戸は、請求項１又は請求項２に記載の折り畳み式雨戸であって、前記開閉手段によって前記折れ戸が窓の上端側で折り畳んだ状態でその内部へ収納可能である、外壁の窓の上側から建物の外側方向へ下方に傾斜して突出するように設けられたひさし部を具備することを特徴とするものである。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】変更
【補正の内容】
【００２４】
また請求項１の折り畳み式雨戸は、開閉手段として可撓性紐材と付勢手段と係止手段とを備える。可撓性紐材は一端が最も下方に位置するスライド部材に固定されている。付勢手段は可撓性紐材の他端を上方に付勢する。可撓性紐材を上方へ付勢すると、可撓性紐材に固定されているスライド部材は上方へスライドすることとなる。折り畳み式雨戸を構成する折れ戸はスライド部材を介して開閉自在に構成されているので、可撓性紐材を上方に付勢することでスライド部材を上方にスライドさせると、折れ戸を窓の上方に配置した開状態とすることができる。一方、開状態の折れ戸の下端を引き下げて、窓と平行に一直線となる閉状態として、係止手段により係止することで、閉状態に係止することができる。したがって、晴天の場合などで、折り畳み式雨戸を開くときには、係止手段で係止しないことで、付勢手段により折れ戸が窓の上方の建物の外壁から突出した状態である開状態に固定することができる。一方、風雨が激しいときなどのように、折り畳み式雨戸を閉めるときには、折れ戸の下端を引き下ろして、折れ戸を閉状態にして係止手段で折れ戸を係止することで、閉状態に固定することができる。
【手続補正１２】
【補正対象書類名】明細書
【補正対象項目名】００２５
【補正方法】変更
【補正の内容】
【００２５】
したがって、請求項１の折り畳み式雨戸によると、折れ戸を閉状態から開状態に移行するとき、係止手段を外すだけで他に何の力も必要とせずに板体を引き上げることができる。一般に、下方から上方に引き上げるときには、上方から下方に引き下ろすときよりも多くの力を必要とするので、このように構成することで、容易に開状態にすることができる。なお、付勢手段の力を調節することで、上方から下方に引き下ろすときにより小さな力で引き下ろすことができるようにすることもできる。
【手続補正１３】
【補正対象書類名】明細書
【補正対象項目名】００２６
【補正方法】変更
【補正の内容】
【００２６】
請求項１に記載の折り畳み式雨戸によると、スライドレールの長さ方向の中間に複数の被係止部材が列設され、この被係止部材に着脱自在な係止部材がスライド部材に固定されているので、被係止部材に係止部材を係着することで、スライド部材を固定できるとともに、被係止部材から係止部材を外すことで、スライド部材をスライド自在にすることができる。そして、被係止部材は、スライドレールの中間に複数列設されているので、スライド部材の係止部材を任意の被係止部材に固定することにより、折れ戸を開状態と閉状態との間の中間の状態で維持することができる。このような状態に維持することにより、無風や弱風の雨天時に雨が室内に入るのを防ぎつつ、室内の換気を行うことができる。
【手続補正１４】
【補正対象書類名】明細書
【補正対象項目名】００２７
【補正方法】変更
【補正の内容】
【００２７】
さらに請求項１の折り畳み式雨戸によると、折れ戸が光透過性の高い合成樹脂で構成されているので、風雨の場合などに、折り畳み式雨戸を閉状態に維持するときでも、建物外の光を室内に取り込むことができる。また、合成樹脂で構成されているので、極めて軽く、且つ安価なものとすることができる。
【手続補正１５】
【補正対象書類名】明細書
【補正対象項目名】００２８
【補正方法】変更
【補正の内容】
【００２８】
そして請求項１の発明の折り畳み式雨戸によると、折れ戸がポリカーボネートで構成されており、ポリカーボネートは耐衝撃性に優れているので、外部から飛来物が飛んできた場合に、破損することが少なく、窓を安全に守ることができる。また、ポリカーボネートは寸法安定性も優れており、熱による変形も起こりにくく、長期の使用にも耐えることができる。
【手続補正１６】
【補正対象書類名】明細書
【補正対象項目名】００２９
【補正方法】変更
【補正の内容】
【００２９】
請求項２の発明の折り畳み式雨戸によると、折れ戸は光透過性の高いプラスチック製であって、且つ、紫外線を反射するので、可視光及び赤外線は室内に入射し部屋を明るく、また、室温を高く保つことができるとともに、紫外線を部屋に入射させないことで、室内にいる人に害を及ぼさないとともに、畳、じゅうたん、家具などの変色を防ぐことができる。
【手続補正１７】
【補正対象書類名】明細書
【補正対象項目名】００３０
【補正方法】変更
【補正の内容】
【００３０】
請求項３の発明に係る折り畳み式雨戸によると、前記開閉手段によって前記折れ戸が窓の上端側で折り畳んだ状態でその内部へ収納可能であるなひさし部を具備するので、折れ戸が開状態となるときに、ひさし部内部に折れ戸を収納することができる。したがって、開状態に維持されるときに、折り畳み式雨戸のひさし部以外の部分が汚れたり、破損したりすることを防ぐことができる。